(57)【要約】【課題】  あらわし梁とする木造住宅において、使用する木造梁端接合金物及び該金物を用いる梁や柱の切溝が外から見えないようにする木造梁端接合構造とこの接合構造に使用する木造梁端接合金物を提供すること。【解決手段】  水平板２と垂直板３とがそれぞれの端縁部で直角に連結され、前記水平板２には木質系横架材の上面に打ち込まれる係止具１８の係止用穴４が形成され、前記垂直板３には前記水平板２と反対側へ直角に突出して前記木質系横架材Ａに接合される木質梁材Ｂの接合端面に開口した接合穴１６に嵌入される接合具６が固定されていることを特徴とする木造梁端接合金物１。【選択図】図１
2018159215.tif 000002
【特許請求の範囲】
【請求項１】
水平板と垂直板とがそれぞれの端縁部で直角に連結され、前記水平板には木質系横架材の上面に打ち込まれる係止具の係止用穴が形成され、前記垂直板には前記水平板と反対側へ直角に突出して前記木質系横架材に接合される木質梁材の接合端面に開口した接合穴に嵌入される接合具が固定されていることを特徴とする木造梁端接合金物。
【請求項２】
前記水平板の略中央部にポール穴が形成されてなる請求項１記載の木造梁端接合金物。
【請求項３】
前記水平板の垂直板と反対側の端縁に半円のポール穴が形成されていることを特徴とする請求項１記載の木造梁端接合金物。
【請求項４】
前記水平板の略中央部に接続ポールを固定したことを特徴とする請求項１に記載の木造梁端接合金物。
【請求項５】
前記接合具に縦方向の雌ねじ穴を形成したことを特徴とする請求項１乃至４のいずれか一項に記載の木造梁端接合金物。
【請求項６】
前記接合具が前記垂直板の縦方向に所定間隔を開けて２つ固定されていることを特徴とする請求項１乃至５のいずれか一項に記載の木造梁端接合金物。
【請求項７】
前記水平板と垂直板が直角に連結されて形成される内側に前記水平板と垂直板に両端を固定した補強板を設けたことを特徴とする請求項１乃至６のいずれか一項に記載の木造梁端接合金物。
【請求項８】
請求項１に記載の木造梁端接合金物を用いて木質系横架材に木質梁材を直角に接合する木造住宅における木造梁端接合構造において、
前記木質梁材の接合端面には該木質梁材の奥行方向に前記接合具が挿入される接合穴が開口されると共に前記木質梁材の上面から下面の手前に向って前記係合穴に連通する係止ボルト穴が形成され、
前記木質系横架材の前記木質梁材を接合する部位の上面には前記木造梁端接合金物の前記水平板と略同形状で同じ厚さ相当分の嵌め込み溝が形成され、
前記木質系横架材の前記木質梁材を接合する部位の側面には前記木造梁端接合金物の前記垂直板の当接面又は前記木質梁材の接合端面のいずれか一方に前記垂直板と略同形状で同じ厚さ相当分の座堀溝が形成され、
前記嵌め込み溝に前記木造梁端接合金物の水平板が嵌入されて前記係止穴から打ち込まれた係止具で木質系横架材の上面に固定され、
前記木質梁材の係合穴には前記接合具が挿入されて前記係止ボルト穴から差し込みされた係止ボルトによって前記接合具が係止され、
前記木質系横架材の側面の前記垂直板の当接面又は前記木質梁材の接合端面のいずれか一方に形成されている前記座堀溝に前記垂直板が収納されていることを特徴とする木造住宅における木造梁端接合構造。
【請求項９】
前記嵌め込み溝の端部の前記木質系横架材の側面の角部に形成した嵌入隙間に前記木造梁端接合金物の補強板を嵌入したことを特徴とする請求項８に記載の木造住宅における木造梁端接合構造。
【請求項１０】
前記木質系横架材の上面に前記水平板の略中央部に形成したポール穴が上方に位置するように開口して形成したポール挿入穴に嵌入した接続ポールの上方に柱を挿入固定したことを特徴とする請求項８又は請求項９のいずれかに記載の木造住宅における木造梁端接合構造。
【発明の詳細な説明】
【技術分野】
【０００１】
この発明は、木造住宅の木質系横架材と木質梁材の端部との接合に使用する木質造梁端接合金物とこの木質梁端接合金物を用いた木造住宅における木質梁端接合構造に関する。
【背景技術】
【０００２】
木造軸組み工法を用いて構築される木造住宅においては、接合金物を使用して木質梁材端部を接合する金物工法であらわし梁とする場合に、下方から梁材を見上げると、接合金物の一部が梁材の下端面から見えたり、梁材をこの接合金物に係止する係止ピンが見えたりしている。例えば、図２３に開示される特許文献１の柱取付け装置のように、柱４１の相対する側面に横架材接合金具４２を用いて、梁材４３を接合する場合に、柱４１の相対する側面に横架材接合金具４２をボルト４４で固定し、この横架材接合金具４２を構成する取付け片部４５を梁材４３の端に形成した係合溝４６に嵌入してから、梁材４３の側面から係止ピン４７を差し込んで梁材４３と取付け片部４５を連結する取付け構造がある。
【先行技術文献】
【特許文献】
【０００３】
【特許文献１】特開２００１−２７１４２６号公報
【発明の概要】
【発明が解決しようとする課題】
【０００４】
しかしながら、前記の取付け構造によると、居住空間の下方から見上げた場合に、図４に示すように、梁材４１の下面に係合溝４６やこの係合溝４６に嵌入した取付け片部４５の端部、更には、梁材４３の側面に係止ピン４７の頭が露出しているのが見えることになり、室内の美観を損ねる要因となっている。このような欠点を是正するために、梁材４３の下面に現れる係合溝４６の隙間や取付け片部４５、更には、側面に現れる係止ピン４７の頭を隠蔽する木栓仕様の部材も存在するが、後付けあるために一体感が得られないために、満足のゆくものではなかった。  又、梁材４３に作用する鉛直下向きのせん断応力、梁軸方向に作用する引張応力共に係止ピン４７が負担しているので重負担となっていた。
【課題を解決するための手段】
【０００５】
この発明は上記先行技術の有する課題を解決するために、あらわし梁とする木造住宅において特に使用する木造梁端接合金物及び該金物を用いる木造住宅における木造梁端接合構造を提供することを目的としてなされたものであって、その手段するところは、水平板と垂直板とがそれぞれの端縁部で直角に連結され、前記水平板には木質系横架材の上面に打ち込まれる係止具の係止用穴が形成され、前記垂直板には前記水平板と反対側へ直角に突出して前記木質系横架材に接合される木質梁材の接合端面に開口した接合穴に嵌入される接合具が固定されている木造梁端接合金物としたことにある。
【０００６】
又、前記水平板の略中央部にポール穴が形成されてなることにある。更に、前記水平板の垂直板と反対側の端縁に半円のポール穴が形成されていることにある。更に又、前記水平板の略中央部に接続ポールを固定したことにある。
【０００７】
更に又、前記接合具に縦方向の雌ねじ穴を形成したことにある。また、前記接合具が前記垂直板の縦方向に所定間隔を開けて２つ固定されていることにある。前記水平板と垂直板が直角に連結されて形成される内側に前記水平板と垂直板に両端を固定した補強板を設けたことにある。
【０００８】
上述した木造梁端接合金物を用いて木質系横架材に木質梁材を直角に接合する木造住宅における木造梁端接合構造において、前記木質梁材の接合端面には該木質梁材の奥行方向に前記係合具が挿入される接合穴が開口されると共に前記木質梁材の上面から下面の手前に向って前記接合穴に連通する係止ボルト穴が形成され、前記木質系横架材の前記木質梁材を接合する部位の上面には前記木造梁端接合金物の前記水平板と略同形状で同じ厚さ相当分の嵌め込み溝が形成され、前記木質系横架材の前記木質梁材を接合する部位の側面には前記木造梁端接合金物の前記垂直板の当接面又は前記木質梁材の接合端面のいずれか一方に前記垂直板と略同形状で同じ厚さ相当分の座堀溝が形成され、前記嵌め込み溝に前記木造梁端接合金物の水平板が嵌入されて前記係止穴から打ち込まれた係止具で木質系横架材の上面に固定され、前記木質梁材の接合穴には前記接合具が挿入されて前記係止ボルト穴から差し込みされた係止ボルトによって前記接合具が係止され、前記木質系横架材の側面の前記垂直板の当接面又は前記木質梁材の接合端面のいずれか一方に形成されている前記座堀溝に前記垂直板が収納されている木造住宅における木造梁端接合構造としたことにある。
【０００９】
前記嵌め込み溝の端部の前記木質系横架材の側面の角部に形成した嵌入隙間に前記木造梁端接合金物の補強板を嵌入したことにある。
【００１０】
前記木質系横架材の上面に前記水平板の略中央部に形成したポール穴が上方に位置するように開口して形成したポール挿入穴に嵌入した接続ポールの上方に柱を挿入固定したことにある。
【発明の効果】
【００１１】
この発明の木造梁端接合金物によると、水平板は係止用穴から木質系横架材の上面に係止具で打ち込まれるので、下方から見上げても見えず、又、垂直板に固定された接合具は木質梁材の接合端面に開口している接合穴に嵌入されるので、これも下方から見上げても見えない。更に、垂直板は木質系横架材の側面と木質梁材の接合端面の間に挟まれるので、そのままでも見え難いが、木質系横架材の側面と木質梁材の接合端面のいずれか一方に垂直板の厚さ分に相当する溝を掘って置ければ見えなくすることが出来る。
【００１２】
更に又、木質梁材に作用する鉛直下向きのせん断応力は接合具で阻止でき、梁軸方向に作用する引張応力は接合具に形成した係止ボルト穴に係止ボルトを差し込むなどして阻止できるので、異なる方向の２つの応力の抵抗部材が異ならせることが出来るために各部材の負担が少なくなる。
【００１３】
水平板の略中央部にポール穴が形成されていると、木質系横架材の上面にあるポール挿入穴に接続ポールを差し込むことが出来る。同じ木質系横架材の部位に２つの木造梁端接合金具を使用する場合には、半円のポール穴を向い合せとすることで丸穴のポール穴となり同じ効果を得られる。水平板の略中央部に接続ポールを固定した場合には、ポール穴は不要で施工も簡単になる。
【００１４】
接合具に縦方向の雌ねじ穴を形成しておけば、この雌ねじ穴に木質系横架材の上面から貫通した係止ボルトを螺合させることで、引張応力を一層阻止し得る。又、接合具を２つ縦方向に並べて垂直板に固定すれば、せん断応力、引張応力共に抵抗強度がその分強化される。この場合には、上方の接合具は雌ねじを刻むことなく単なる貫通穴で良い。又、水平板と垂直板の直角に連結された内側に水平板と垂直板の両端を固定しておくと、垂直板に梁軸方向の引張応力が作用した場合でも直角の角度が拡大しないように維持される。
【００１５】
この木造梁端接合金物を用いて、木造梁端接合構造は、木質系横架材の上面に形成した嵌め込み溝に水平板を載せて、係止具を係止用穴から木質系横架材に打設して固定すると水平板の上面と木質系横架材の上面が同一高さとなる。そして、垂直板から直角に突出している係合具を木質梁材の接合端面に開口している接合穴に入れて接合する。この時、接合具に設けた木質系横架材に形成してある係止ボルト穴から差し込まれた係止ボルトで係合具が係止されて、梁軸方向への引張応力に対抗できると共に、鉛直方向へのせん断力にも接合具によって対抗できる。垂直板の厚さ相当分の座堀溝に垂直板が収納されているので、垂直板の下面及び両側面は隠れて木質系横架材の下面及び両側面には露出しないように施工されている。これによって、あらわし梁材であっても、下方から見上げた時にも、木造梁端接合金物や木質系横架材や木質梁材に設けた溝が見えないので、美観を損なうことがない。
【００１６】
又、水平板の略中央部には、ポール穴がありこのポール穴の下方の木質系横架材にはポール挿入穴が開いているので、上方の柱を接続する接続ポールを立てることが出来る。２つの木造梁端接合金物を用いて半円のポール穴を向かい合わせに並べる場合も同様である。水平板にポールを固定しておけばポールは必要なく、従ってポール挿入穴を開けておく必要はなく、又、ポール穴、半円のポール穴を水平板に形成する必要もないので、簡素化できる。
【００１７】
水平板と垂直板の直角に交わる内側に補強板を設けた場合には、この補強板によって木質梁材引張力に対する抵抗が増大し、且つ、木質系横架材に形成した嵌入隙間に入るので、木質梁材に横方向の力即ち木質系横架材の軸心方向への力が作用した場合であっても、嵌め込み溝に当接する水平板の側面や垂直板の座堀溝に当接する垂直板の側面の阻止力に加えて横方向のずれを阻止できる。
【図面の簡単な説明】
【００１８】
【図１】第１実施形態の木造梁端接合金物の表側斜視図
【図２】第１実施形態の木造梁端接合金物の裏側斜視図
【図３】第１実施形態の木質系横架材の接合部位が現れた斜視図
【図４】第１実施形態の木質梁材の接合端面が現れた斜視図
【図５】第１実施形態の木造梁端接合金物を用いた木造梁端接合構造説明図
【図６】第２実施形態の木造梁端接合金物の表側斜視図
【図７】第２実施形態の木造梁端接合金物の裏側斜視図
【図８】第２実施形態の木質系横架材の接合部位が現れた斜視図
【図９】第２実施形態の木質梁材の接合端面が現れた斜視図
【図１０】第２実施形態の木造梁端接合金物を用いた木造梁端接合構造説明図
【図１１】図１０の平面図
【図１２】図１０の側面図
【図１３】第３実施形態の木造梁端接合金物の表側斜視図
【図１４】第４実施形態の木造梁端接合金物の表側斜視図
【図１５】第３実施形態の木質系横架材の接合部位が現れた斜視図
【図１６】第３実施形態の木質梁材の接合端面が現れた斜視図
【図１７】第５実施形態の木造梁端接合金物の表側斜視図
【図１８】第４実施形態の木質系横架材の接合部位が現れた斜視図
【図１９】第４実施形態の木造梁端接合金物を用いた木造梁端接合構造説明図
【図２０】図１９の平面図
【図２１】図１９の側面図
【図２２】木造梁端接合構造を下方から見上げた斜視図
【図２３】従来技術の斜視図
【図２４】従来のあらわし梁を下方から見上げた斜視図
【発明を実施するための形態】
【００１９】
この発明の木造梁端接合金物及びこの木造梁端接合金物を用いた木造梁端接合構造の最良の実施形態について、以下図１〜図２２を参考にしつつ説明する。
まず、木造梁端接合金物１の第１実施形態について、図１、図２に基づいて説明する。
木造梁端接合金具１は、水平板２と該水平板２の端縁部で直角に連結された垂直板３を具備している。この連結は、１枚の板材を直角に折り曲げて形成したものであっても、２枚の板材を端縁部で溶接したものでも良い。水平板２の奥行きは該水平板２を取付ける木質系横架材Ａの上面幅の半分の長さで、木質系横架材Ａの横幅である軸心方向の長さは木質梁材Ｂの幅方向の長さより短い範囲で求める強度に応じて適宜選択される。水平板２には２つの係止用穴４が左右に形成されると共に、奥行き端縁の中央には半円のポール穴５が切欠いて形成されている。
【００２０】
前記垂直板３は、横幅は前記水平板２と同じで縦方向の長さは接合する木質梁材Ｂの縦方向長さより短い範囲で求める強度に応じて適宜選択される。そして、垂直板３の水平板２と反対側の面の上下方向には、直角に突出して上下方向に２つの接合具６が突出して固定されている。この接合具６は、図示されている実施形態はパイプであるが、他の形状の部材であっても良い。パイプの材質や直径或いは長さ等は求める強度によって適宜選択される。上下２つの接合具６には、上下方向同じ部位にボルト穴７が形成されている。この内の下方のボルト穴７には雌ねじが刻まれていて、上方からボルト穴７を通じて挿通される係止ボルト８と螺合できるようにしている。
【００２１】
前記水平板２と垂直板３の直角に交差する内側には、補強板９の両端が固定されていて両水平板２と垂直板３が形成する直角を維持し、直角を広げる力が作用した場合にはそれを阻止し得るようにしている。
【００２２】
この木造梁端接合金物１を用いて接合する図３に示す第１実施形態の木質系横架材Ａと図４に示す第１実施形態の木質梁材Ｂについて説明する。木質系横架材Ａは桁や梁などを含むもので、一般にはここに接合する木質梁材Ｂよりも断面積は大きいものである。この木質系横架材Ａの接合部位の上面には、前記水平板２を載置して嵌め込むための嵌め込み溝１０が形成されている。この嵌め込み溝１０の形状は、横幅が水平板２の横幅と略等しく、奥行きは水平板２の奥行きの長さの合計と略等しく形成されている。ここでは、図１、図２に示す木質梁端接合金物１を２枚用いているのでその合計の長さになっている。溝の深さは、水平板２の厚さに略等しくして木質系横架材Ａの上面が平坦になるようにしている。この嵌め込み溝１０の中心部には、上方に構築する柱等と接続するために必要な接続ポール１１の端部を挿入する穴部１２が形成されている。更に又、嵌め込み溝１０の端部の前記木質系横架材Ａの側面の角部には、前記木造梁端接合金物１の補強板９を嵌め込む嵌入隙間１３が形成されている。
【００２３】
前記木質梁材Ｂは、前記木質系横架材Ａに当接して接合される接合端面１４に座堀溝１４が形成されたものである。この座堀溝１５は、図４に示されるように、接合端面１４の一部を垂直板３が収納できるようにその形状と厚さ分を切欠いて形成した溝であって、上方が木質梁材Ｂの上面を貫通し両側と下側は木質梁材Ｂの材質で囲まれている。座掘溝１５の底面には木質梁材Ｂの奥行き方向に伸びた前記接合具６が嵌入される接合穴１６が対応する接合具６の形状に見合うように且つ接合具６の数と同数だけ開口されている。又、木質梁材Ｂの上面から前記接合穴１６を貫通するように係止ボルト穴１７が形成されている。
【００２４】
以上の第１実施形態の木造梁端接合金具１を第１実施形態の木質系横架材Ａの両側面に木質梁材Ｂを接合して使用して図５に示す木造梁端接合構造を構築する例について説明する。まず、木質系横架材Ａの上面の嵌め込み溝１０に２つの木造梁端接合金物１の水平板２を相対向させて載置し垂直板３を木質系横架材Ａの側面に密着させる。この時、補強板９は嵌入隙間１３に嵌まり込み位置決めが確実になされる。そして、係止用穴４からビス、ねじ釘などの係止具１８を挿入して固定する。この時には、２つの半円のポール穴５が穴部１２の上方に位置することになる。次に、木質梁材Ｂの接合端面１４に形成した座堀溝１５に垂直板３が収納されるように接合端面１４を近づけながら接合具６を接合穴１６に挿入して接合端面１４と木質系横架材Ａの側面を密着接合する。そして、係止ボルト穴１７から係止ボルト８を差し込んで上方の接合具６のボルト穴７を貫通させて下方の接合具６のボルト穴７の雌ねじと螺合させて接合を完了することで木造梁端接合構造が構築される。
【００２５】
木造梁端接合金具１の第２実施形態について、前記第１実施形態と共通するところは同じ符号を付してその説明を省略し、異なる構成について図６、図７に基づいて説明する。
異なる構成は、木質系横架材Ａの片方の側面のみで木質梁材Ｂを接続するときに使用する金物である。従って、１つの水平板２の大きさ及び形状が嵌め込み溝１０の大きさと同じであり、略中心部に円形のポール穴５が形成され、その周囲に係止用穴４が形成される。
【００２６】
次に、第２実施形態の木質系横架材Ａを図８、第２実施形態の木質梁材Ｂを図９に基づきそれぞれ前記第１実施形態と同じ構成については同じ符号を付して説明を省略し、異なる個所のみを説明する。第２実施形態の木質系横架材Ａが異なるところは、木質系横架材Ａの片方の側面のみに木質梁材Ｂを接合するために、片方の側面のみに垂直板３が収納される座堀溝１５を形成した点であり、その他は第１実施形態と同じである。座堀溝１５の構成は図４に示す前記木質梁材Ｂの接合端面１４に形成したものと同じである。この実施形態の場合には、嵌め込み溝１０の端部と座堀溝１５の端部が角部で共有しているために角部が欠けた状態になる。又、第２実施形態の木質梁材Ｂは接続端面１４の座堀溝１５をなくしたこと以外は第１実施形態と同じである。
【００２７】
以上の第２実施形態の木造梁端接合金具１を第２実施形態の木質系横架材Ａの片側面に木質梁材Ｂを接合して図１０〜図１２に示す木造梁端接合構造を構築する例について説明する。まず、木質系横架材Ａの水平板１を嵌め込み溝１０に嵌め込み垂直板３を座堀溝１５に収納するように木質梁材Ｂを木質系横架材Ａに被せてから、係止具１８を係止用穴４を通じて木質系横架材Ａの上面に打ち込んで固定する。この時、垂直板３はその両側と下側を全て木質系横架材Ａの部材で囲まれ上側は水平板２と連結されて木質系横架材Ａの上面と同一面となっている。その他の接合は第１実施形態と同じであるので説明を省略する。
【００２８】
第３実施形態及び第４実施形態の木造梁端接合金具１は、図１３、図１４に示すように、垂直板３に固定する接合具６が１つの場合である。図１３に示す木造梁端接合金具１は、水平板２の略中央に円形のポール穴５に代えて円柱状の接続柱１９を固定したものである。その他の構成は、第２実施形態と同じである。又、図１４に示す木造梁端接合金具１は、図６と接合具６の数が異なる以外は同じ構成である。これら２つの実施形態の木造梁端接合金具１は接合具６の本数が少ない分だけ支える荷重が軽いものになる。
【００２９】
第３実施形態の木質系横架材Ａを図１５、第３実施形態の木質梁材Ｂを図１６に基づき、それぞれ前記第１実施形態と同じ構成については同じ符号を付して説明を省略し、異なる個所のみを説明する。図１５に示す第３実施形態の木質系横架材Ａは、嵌入隙間１３が１つであることが異なるのみで他の構成は同じである。又、図１６に示す第３実施形態の木質梁材Ｂは、接合穴１６が１つであることが異なるのみで他の構成は同じである。
このような第３実施形態の木造梁端接合金具１、木質系横架材Ａ及び木質梁材Ｂによる木造梁端接合構造も第１実施形態と同じようにして構築するのでその説明を省略する。
【００３０】
図１７は第５実施形態の木造梁端接合金具１を示し、図１に示す第１実施形態と異なるところは半円のポール穴５をなくした点である。この実施形態は接続ポール１１を使用しない木造梁端接合構造において使用する。図１８に示す木質系横架材Ａの第４実施形態が図８に示す第２実施形態と異なるところは、座堀溝１５を木質系横架材Ａの両側面に設けたことである。このような第５実施形態の木造梁端接合金具１と木質系横架材Ａ及び図９に示す第２実施形態の木質梁材Ｂを用いて構築した木造梁端接合構造を図１９乃至図２１に示す。
【００３１】
上記のようにして構築したすべての木造梁端接合構造において、木造梁端接合金具１は座堀溝１５の内部に収納されているために両側面と下側は木質梁材Ｂの側面及び下面の内側にあることから、図２２に示すように、下方から見上げた場合には木造梁端接合金物１及び木質系横架材Ａや木質梁材Ｂに形成した溝が全く見えないので、室内の美観を向上することが出来る。特にあらわし梁材には好適に使用できる。
【産業上の利用可能性】
【００３２】
この発明の木造梁端接合金物及びこの金物を使用した木造梁端接合構造は、高級感を求められる多くの木造住宅に有用に利用される。
【符号の説明】
【００３３】
１    木造梁端接合金具
２    水平板                     
３    垂直板
４    係止用穴
５    ポール穴
６    接合具
７    ボルト穴
８    係止ボルト
９    補強板
１０  嵌め込み溝
１１  接続ポール
１２  穴部
１３  嵌込隙間
１４  接合溝面
１５  座堀溝
１６  接合穴
１７  係止ボルト穴
１８  係止具
１９  接続柱
Ａ    木質系横架材
Ｂ    木質梁材
【図１】
2018159215.tif 000003
【図２】
2018159215.tif 000004
【図３】
2018159215.tif 000005
【図４】
2018159215.tif 000006
【図５】
2018159215.tif 000007
【図６】
2018159215.tif 000008
【図７】
2018159215.tif 000009
【図８】
2018159215.tif 000010
【図９】
2018159215.tif 000011
【図１０】
2018159215.tif 000012
【図１１】
2018159215.tif 000013
【図１２】
2018159215.tif 000014
【図１３】
2018159215.tif 000015
【図１４】
2018159215.tif 000016
【図１５】
2018159215.tif 000017
【図１６】
2018159215.tif 000018
【図１７】
2018159215.tif 000019
【図１８】
2018159215.tif 000020
【図１９】
2018159215.tif 000021
【図２０】
2018159215.tif 000022
【図２１】
2018159215.tif 000023
【図２２】
2018159215.tif 000024
【図２３】
2018159215.tif 000025
【図２４】
2018159215.tif 000026
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
水平板と垂直板とがそれぞれの端縁部で直角に連結され、
前記水平板には木質系横架材の上面に打ち込まれる係止具の係止用穴が形成され、
前記垂直板には前記水平板と反対側へ直角に突出して前記木質系横架材の側面に接合される木質梁材の接合端面に開口した接合穴に嵌入される接合具が固定され、
前記水平板と垂直板とが直角に連結されて形成される内側には、前記水平板と垂直板に両端を固定して前記木質系横架材の側面の角部に形成した嵌入隙間に嵌入される補強板を設け、
前記接合具は、前記垂直板の縦方向に所定間隔を開けて２つ固定され、それぞれ縦方向へ貫通するボルト穴を上下同位置に形成されており、
２つの前記ボルト穴のうち下方に位置する前記ボルト穴は、雌ねじを形成されることを特徴とする木造梁端接合金物。
【請求項２】
前記水平板の略中央部には、前記係止用穴よりも大きな開口面積を有し、前記木質系横架材と、該木質系横架材よりも上方に構築される柱と、を接続する棒状の接続ポールを挿入される接続ポール差込穴が形成される請求項１に記載の木造梁端接合金物。
【請求項３】
前記水平板の垂直板と反対側の端縁には、前記木質系横架材と、該木質系横架材よりも上方に構築される柱と、を接続する円柱状の接続ポールを平面視において半円分嵌め込む半円状の接続ポール差込穴が形成されることを特徴とする請求項１に記載の木造梁端接合金物。
【請求項４】
前記水平板の略中央部には、前記木質系横架材と、該木質系横架材よりも上方に構築される柱と、を接続する棒状の接続ポールを固定したことを特徴とする請求項１に記載の木造梁端接合金物。
【請求項５】
水平板と垂直板とがそれぞれの端縁部で直角に連結され、前記水平板には木質系横架材の上面に打ち込まれる係止具の係止用穴が形成され、前記垂直板には前記水平板と反対側へ直角に突出して前記木質系横架材に接合される木質梁材の接合端面に開口した接合穴に嵌入される接合具が固定されている木造梁端接合金物を用いて、木質系横架材に木質梁材を直角に接合する木造住宅における木造梁端接合構造において、
前記木質梁材の接合端面には該木質梁材の奥行方向に前記接合具が挿入される接合穴が開口されると共に前記木質梁材の上面から下面の手前に向って前記係合穴に連通する係止ボルト穴が形成され、
前記木質系横架材の前記木質梁材を接合する部位の上面には前記木造梁端接合金物の前記水平板と略同形状で同じ厚さ相当分の嵌め込み溝が形成され、
前記木質系横架材の前記木質梁材を接合する部位の側面には前記木造梁端接合金物の前記垂直板の当接面又は前記木質梁材の接合端面のいずれか一方に前記垂直板と略同形状で同じ厚さ相当分の座堀溝が形成され、
前記嵌め込み溝に前記木造梁端接合金物の水平板が嵌入されて前記係止穴から打ち込まれた係止具で木質系横架材の上面に固定され、
前記木質梁材の係合穴には前記接合具が挿入されて前記係止ボルト穴から差し込みされた係止ボルトによって前記接合具が係止され、
前記木質系横架材の側面の前記垂直板の当接面又は前記木質梁材の接合端面のいずれか一方に形成されている前記座堀溝に前記垂直板が収納されていることを特徴とする木造住宅における木造梁端接合構造。
【請求項６】
前記嵌め込み溝の端部の前記木質系横架材の側面の角部に形成した嵌入隙間に前記木造梁端接合金物の補強板を嵌入したことを特徴とする請求項５に記載の木造住宅における木造梁端接合構造。
【請求項７】
前記木質系横架材の上面に前記水平板の略中央部に形成した接続ポール差込穴が上方に位置するように開口して形成したポール挿入穴に嵌入した接続ポールの上方に柱を挿入固定したことを特徴とする請求項５又は請求項６のいずれかに記載の木造住宅における木造梁端接合構造。
【手続補正２】
【補正対象書類名】明細書
【補正対象項目名】全文
【補正方法】変更
【補正の内容】
【発明の詳細な説明】
【技術分野】
【０００１】
この発明は、木造住宅の木質系横架材と木質梁材の端部との接合に使用する木質造梁端接合金物とこの木質梁端接合金物を用いた木造住宅における木質梁端接合構造に関する。
【背景技術】
【０００２】
木造軸組み工法を用いて構築される木造住宅においては、接合金物を使用して木質梁材端部を接合する金物工法であらわし梁とする場合に、下方から梁材を見上げると、接合金物の一部が梁材の下端面から見えたり、梁材をこの接合金物に係止する係止ピンが見えたりしている。例えば、図２３に開示される特許文献１の柱取付け装置のように、柱４１の相対する側面に横架材接合金具４２を用いて、梁材４３を接合する場合に、柱４１の相対する側面に横架材接合金具４２をボルト４４で固定し、この横架材接合金具４２を構成する取付け片部４５を梁材４３の端に形成した係合溝４６に嵌入してから、梁材４３の側面から係止ピン４７を差し込んで梁材４３と取付け片部４５を連結する取付け構造がある。
【先行技術文献】
【特許文献】
【０００３】
【特許文献１】特開２００１−２７１４２６号公報
【発明の概要】
【発明が解決しようとする課題】
【０００４】
しかしながら、前記の取付け構造によると、居住空間の下方から見上げた場合に、図２４に示すように、梁材４３の下面に係合溝４６やこの係合溝４６に嵌入した取付け片部４５の端部、更には、梁材４３の側面に係止ピン４７の頭が露出しているのが見えることになり、室内の美観を損ねる要因となっている。このような欠点を是正するために、梁材４３の下面に現れる係合溝４６の隙間や取付け片部４５、更には、側面に現れる係止ピン４７の頭を隠蔽する木栓仕様の部材も存在するが、後付けであるために一体感が得られないために、満足のゆくものではなかった。又、梁材４３に作用する鉛直下向きのせん断応力、梁軸方向に作用する引張応力共に係止ピン４７が負担しているので重負担となっていた。
【課題を解決するための手段】
【０００５】
この発明は上記先行技術の有する課題を解決するために、あらわし梁とする木造住宅において特に使用する木造梁端接合金物及び該金物を用いる木造住宅における木造梁端接合構造を提供することを目的としてなされたものであって、その手段するところは、水平板と垂直板とがそれぞれの端縁部で直角に連結され、前記水平板には木質系横架材の上面に打ち込まれる係止具の係止用穴が形成され、前記垂直板には前記水平板と反対側へ直角に突出して前記木質系横架材の側面に接合される木質梁材の接合端面に開口した接合穴に嵌入される接合具が固定され、前記水平板と垂直板とが直角に連結されて形成される内側には、前記水平板と垂直板に両端を固定して前記木質系横架材の側面の角部に形成した嵌入隙間に嵌入される補強板を設け、前記接合具は、前記垂直板の縦方向に所定間隔を開けて２つ固定され、それぞれ縦方向へ貫通するボルト穴を上下同位置に形成されており、２つの前記ボルト穴のうち下方に位置する前記ボルト穴は、雌ねじを形成される木造梁端接合金物としたことにある。
【０００６】
又、前記水平板の略中央部に、前記木質系横架材と、該木質系横架材よりも上方に構築される柱と、を接続する棒状の接続ポールを挿入され、前記係止用穴よりも大きな開口面積を有する接続ポール差込穴が形成されてなることにある。更に、前記水平板の垂直板と反対側の端縁に、円柱状の接続ポールを平面視において半円分嵌め込む半円状の接続ポール差込穴が形成されていることにある。更に又、前記水平板の略中央部に接続ポールを固定したことにある。
【０００７】
水平板と垂直板とがそれぞれの端縁部で直角に連結され、前記水平板には木質系横架材の上面に打ち込まれる係止具の係止用穴が形成され、前記垂直板には前記水平板と反対側へ直角に突出して前記木質系横架材に接合される木質梁材の接合端面に開口した接合穴に嵌入される接合具が固定されている木造梁端接合金物を用いて木質系横架材に木質梁材を直角に接合する木造住宅における木造梁端接合構造において、前記木質梁材の接合端面には該木質梁材の奥行方向に前記係合具が挿入される接合穴が開口されると共に前記木質梁材の上面から下面の手前に向って前記接合穴に連通する係止ボルト穴が形成され、前記木質系横架材の前記木質梁材を接合する部位の上面には前記木造梁端接合金物の前記水平板と略同形状で同じ厚さ相当分の嵌め込み溝が形成され、前記木質系横架材の前記木質梁材を接合する部位の側面には前記木造梁端接合金物の前記垂直板の当接面又は前記木質梁材の接合端面のいずれか一方に前記垂直板と略同形状で同じ厚さ相当分の座堀溝が形成され、前記嵌め込み溝に前記木造梁端接合金物の水平板が嵌入されて前記係止穴から打ち込まれた係止具で木質系横架材の上面に固定され、前記木質梁材の接合穴には前記接合具が挿入されて前記係止ボルト穴から差し込みされた係止ボルトによって前記接合具が係止され、前記木質系横架材の側面の前記垂直板の当接面又は前記木質梁材の接合端面のいずれか一方に形成されている前記座堀溝に前記垂直板が収納されている木造住宅における木造梁端接合構造としたことにある。
【０００８】
前記嵌め込み溝の端部の前記木質系横架材の側面の角部に形成した嵌入隙間に前記木造梁端接合金物の補強板を嵌入したことにある。
【０００９】
前記木質系横架材の上面に前記水平板の略中央部に形成した接続ポール差込穴が上方に位置するように開口して形成したポール挿入穴に嵌入した接続ポールの上方に柱を挿入固定したことにある。
【発明の効果】
【００１０】
この発明の木造梁端接合金物によると、水平板は係止用穴から木質系横架材の上面に係止具で打ち込まれるので、下方から見上げても見えず、又、垂直板に固定された接合具は木質梁材の接合端面に開口している接合穴に嵌入されるので、これも下方から見上げても見えない。更に、垂直板は木質系横架材の側面と木質梁材の接合端面の間に挟まれるので、そのままでも見え難いが、木質系横架材の側面と木質梁材の接合端面のいずれか一方に垂直板の厚さ分に相当する溝を掘って置ければ見えなくすることが出来る。
【００１１】
更に又、木質梁材に作用する鉛直下向きのせん断応力は接合具で阻止でき、梁軸方向に作用する引張応力は接合具に形成したボルト穴に係止ボルトを差し込むなどして阻止できるので、異なる方向の２つの応力の抵抗部材が異ならせることが出来るために各部材の負担が少なくなる。
【００１２】
水平板の略中央部に接続ポール差込穴が形成されていると、木質系横架材の上面にあるポール挿入穴に接続ポールを差し込むことが出来る。同じ木質系横架材の部位に２つの木造梁端接合金物を使用する場合には、半円の接続ポール差込穴を向い合せとすることで丸穴の接続ポール差込穴となり同じ効果を得られる。水平板の略中央部に接続ポールを固定した場合には、接続ポール差込穴は不要で施工も簡単になる。
【００１３】
接合具にボルト穴を形成しておけば、このボルト穴に木質系横架材の上面から貫通した係止ボルトを螺合させることで、引張応力を一層阻止し得る。又、接合具を２つ縦方向に並べて垂直板に固定すれば、せん断応力、引張応力共に抵抗強度がその分強化される。この場合には、上方の接合具は雌ねじを刻むことなく単なる貫通穴で良い。又、水平板と垂直板の直角に連結された内側に水平板と垂直板の両端を固定しておくと、垂直板に梁軸方向の引張応力が作用した場合でも直角の角度が拡大しないように維持される。
【００１４】
この木造梁端接合金物を用いて、木造梁端接合構造は、木質系横架材の上面に形成した嵌め込み溝に水平板を載せて、係止具を係止用穴から木質系横架材に打設して固定すると水平板の上面と木質系横架材の上面が同一高さとなる。そして、垂直板から直角に突出している係合具を木質梁材の接合端面に開口している接合穴に入れて接合する。この時、木質系横架材に形成してある係止ボルト穴から差し込まれた係止ボルトで係合具が係止されて、梁軸方向への引張応力に対抗できると共に、鉛直方向へのせん断力にも接合具によって対抗できる。垂直板の厚さ相当分の座堀溝に垂直板が収納されているので、垂直板の下面及び両側面は隠れて木質系横架材の下面及び両側面には露出しないように施工されている。これによって、あらわし梁材であっても、下方から見上げた時にも、木造梁端接合金物や木質系横架材や木質梁材に設けた溝が見えないので、美観を損なうことがない。
【００１５】
又、水平板の略中央部には、接続ポール差込穴がありこの接続ポール差込穴の下方の木質系横架材にはポール挿入穴が開いているので、上方の柱を接続する接続ポールを立てることが出来る。２つの木造梁端接合金物を用いて半円の接続ポール差込穴を向かい合わせに並べる場合も同様である。水平板にポールを固定しておけばポールは必要なく、従ってポール挿入穴を開けておく必要はなく、又、接続ポール差込穴、半円の接続ポール差込穴を水平板に形成する必要もないので、簡素化できる。
【００１６】
水平板と垂直板の直角に交わる内側に補強板を設けた場合には、この補強板によって木質梁材引張力に対する抵抗が増大し、且つ、木質系横架材に形成した嵌入隙間に入るので、木質梁材に横方向の力即ち木質系横架材の軸心方向への力が作用した場合であっても、嵌め込み溝に当接する水平板の側面や垂直板の座堀溝に当接する垂直板の側面の阻止力に加えて横方向のずれを阻止できる。
【図面の簡単な説明】
【００１７】
【図１】第１実施形態の木造梁端接合金物の表側斜視図
【図２】第１実施形態の木造梁端接合金物の裏側斜視図
【図３】第１実施形態の木質系横架材の接合部位が現れた斜視図
【図４】第１実施形態の木質梁材の接合端面が現れた斜視図
【図５】第１実施形態の木造梁端接合金物を用いた木造梁端接合構造説明図
【図６】第２実施形態の木造梁端接合金物の表側斜視図
【図７】第２実施形態の木造梁端接合金物の裏側斜視図
【図８】第２実施形態の木質系横架材の接合部位が現れた斜視図
【図９】第２実施形態の木質梁材の接合端面が現れた斜視図
【図１０】第２実施形態の木造梁端接合金物を用いた木造梁端接合構造説明図
【図１１】図１０の平面図
【図１２】図１０の側面図
【図１３】第３実施形態の木造梁端接合金物の表側斜視図
【図１４】第４実施形態の木造梁端接合金物の表側斜視図
【図１５】第３実施形態の木質系横架材の接合部位が現れた斜視図
【図１６】第３実施形態の木質梁材の接合端面が現れた斜視図
【図１７】第５実施形態の木造梁端接合金物の表側斜視図
【図１８】第４実施形態の木質系横架材の接合部位が現れた斜視図
【図１９】第４実施形態の木造梁端接合金物を用いた木造梁端接合構造説明図
【図２０】図１９の平面図
【図２１】図１９の側面図
【図２２】木造梁端接合構造を下方から見上げた斜視図
【図２３】従来技術の斜視図
【図２４】従来のあらわし梁を下方から見上げた斜視図
【発明を実施するための形態】
【００１８】
この発明の木造梁端接合金物及びこの木造梁端接合金物を用いた木造梁端接合構造の最良の実施形態について、以下図１〜図２２を参考にしつつ説明する。
まず、木造梁端接合金物１の第１実施形態について、図１、図２に基づいて説明する。
木造梁端接合金物１は、水平板２と該水平板２の端縁部で直角に連結された垂直板３を具備している。この連結は、１枚の板材を直角に折り曲げて形成したものであっても、２枚の板材を端縁部で溶接したものでも良い。水平板２の奥行きは該水平板２を取付ける木質系横架材Ａの上面幅の半分の長さで、木質系横架材Ａの横幅である軸心方向の長さは木質梁材Ｂの幅方向の長さより短い範囲で求める強度に応じて適宜選択される。水平板２には２つの係止用穴４が左右に形成されると共に、奥行き端縁の中央には半円の接続ポール差込穴５が切欠いて形成されている。
【００１９】
前記垂直板３は、横幅は前記水平板２と同じで縦方向の長さは接合する木質梁材Ｂの縦方向長さより短い範囲で求める強度に応じて適宜選択される。そして、垂直板３の水平板２と反対側の面の上下方向には、直角に突出して上下方向に２つの接合具６が突出して固定されている。この接合具６は、図示されている実施形態はパイプであるが、他の形状の部材であっても良い。パイプの材質や直径或いは長さ等は求める強度によって適宜選択される。上下２つの接合具６には、上下方向同じ部位にボルト穴７が形成されている。この内の下方のボルト穴７には雌ねじが刻まれていて、上方からボルト穴７を通じて挿通され
る係止ボルト８と螺合できるようにしている。
【００２０】
前記水平板２と垂直板３の直角に交差する内側には、補強板９の両端が固定されていて両水平板２と垂直板３が形成する直角を維持し、直角を広げる力が作用した場合にはそれを阻止し得るようにしている。
【００２１】
この木造梁端接合金物１を用いて接合する図３に示す第１実施形態の木質系横架材Ａと図４に示す第１実施形態の木質梁材Ｂについて説明する。木質系横架材Ａは桁や梁などを含むもので、一般にはここに接合する木質梁材Ｂよりも断面積は大きいものである。この木質系横架材Ａの接合部位の上面には、前記水平板２を載置して嵌め込むための嵌め込み溝１０が形成されている。この嵌め込み溝１０の形状は、横幅が水平板２の横幅と略等しく、奥行きは水平板２の奥行きの長さの合計と略等しく形成されている。ここでは、図１、図２に示す木質梁端接合金物１を２枚用いているのでその合計の長さになっている。溝の深さは、水平板２の厚さに略等しくして木質系横架材Ａの上面が平坦になるようにしている。この嵌め込み溝１０の中心部には、上方に構築する柱等と接続するために必要な接続ポール１１の端部を挿入する穴部１２が形成されている。更に又、嵌め込み溝１０の端部の前記木質系横架材Ａの側面の角部には、前記木造梁端接合金物１の補強板９を嵌め込む嵌入隙間１３が形成されている。
【００２２】
前記木質梁材Ｂは、前記木質系横架材Ａに当接して接合される接合端面１４に座堀溝１５が形成されたものである。この座堀溝１５は、図４に示されるように、接合端面１４の一部を垂直板３が収納できるようにその形状と厚さ分を切欠いて形成した溝であって、上方が木質梁材Ｂの上面を貫通し両側と下側は木質梁材Ｂの材質で囲まれている。座掘溝１５の底面には木質梁材Ｂの奥行き方向に伸びた前記接合具６が嵌入される接合穴１６が対応する接合具６の形状に見合うように且つ接合具６の数と同数だけ開口されている。又、木質梁材Ｂの上面から前記接合穴１６を貫通するように係止ボルト穴１７が形成されてい
る。
【００２３】
以上の第１実施形態の木造梁端接合金物１を第１実施形態の木質系横架材Ａの両側面に木質梁材Ｂを接合して使用して図５に示す木造梁端接合構造を構築する例について説明する。まず、木質系横架材Ａの上面の嵌め込み溝１０に２つの木造梁端接合金物１の水平板２を相対向させて載置し垂直板３を木質系横架材Ａの側面に密着させる。この時、補強板９は嵌入隙間１３に嵌まり込み位置決めが確実になされる。そして、係止用穴４からビス、ねじ釘などの係止具１８を挿入して固定する。この時には、２つの半円の接続ポール差込穴５が穴部１２の上方に位置することになる。次に、木質梁材Ｂの接合端面１４に形成した座堀溝１５に垂直板３が収納されるように接合端面１４を近づけながら接合具６を接合穴１６に挿入して接合端面１４と木質系横架材Ａの側面を密着接合する。そして、係止ボルト穴１７から係止ボルト８を差し込んで上方の接合具６のボルト穴７を貫通させて下方の接合具６のボルト穴７の雌ねじと螺合させて接合を完了することで木造梁端接合構造が構築される。
【００２４】
木造梁端接合金物１の第２実施形態について、前記第１実施形態と共通するところは同じ符号を付してその説明を省略し、異なる構成について図６、図７に基づいて説明する。異なる構成は、木質系横架材Ａの片方の側面のみで木質梁材Ｂを接続するときに使用する金物である。従って、１つの水平板２の大きさ及び形状が嵌め込み溝１０の大きさと同じであり、略中心部に円形の接続ポール差込穴５が形成され、その周囲に係止用穴４が形成される。
【００２５】
次に、第２実施形態の木質系横架材Ａを図８、第２実施形態の木質梁材Ｂを図９に基づきそれぞれ前記第１実施形態と同じ構成については同じ符号を付して説明を省略し、異なる個所のみを説明する。第２実施形態の木質系横架材Ａが異なるところは、木質系横架材Ａの片方の側面のみに木質梁材Ｂを接合するために、片方の側面のみに垂直板３が収納される座堀溝１５を形成した点であり、その他は第１実施形態と同じである。座堀溝１５の構成は図４に示す前記木質梁材Ｂの接合端面１４に形成したものと同じである。この実施形態の場合には、嵌め込み溝１０の端部と座堀溝１５の端部が角部で共有しているために角部が欠けた状態になる。又、第２実施形態の木質梁材Ｂは接続端面１４の座堀溝１５をなくしたこと以外は第１実施形態と同じである。
【００２６】
以上の第２実施形態の木造梁端接合金物１を第２実施形態の木質系横架材Ａの片側面に木質梁材Ｂを接合して図１０〜図１２に示す木造梁端接合構造を構築する例について説明する。まず、木質系横架材Ａの水平板２を嵌め込み溝１０に嵌め込み垂直板３を座堀溝１５に収納するように木質梁材Ｂを木質系横架材Ａに被せてから、係止具１８を係止用穴４を通じて木質系横架材Ａの上面に打ち込んで固定する。この時、垂直板３はその両側と下側を全て木質系横架材Ａの部材で囲まれ上側は水平板２と連結されて木質系横架材Ａの上面と同一面となっている。その他の接合は第１実施形態と同じであるので説明を省略する。
【００２７】
第３実施形態及び第４実施形態の木造梁端接合金物１は、図１３、図１４に示すように、垂直板３に固定する接合具６が１つの場合である。図１３に示す木造梁端接合金物１は、水平板２の略中央に円形の接続ポール差込穴５に代えて円柱状の接続ポール１９を固定したものである。その他の構成は、第２実施形態と同じである。又、図１４に示す木造梁端接合金物１は、図６と接合具６の数が異なる以外は同じ構成である。これら２つの実施形態の木造梁端接合金物１は接合具６の本数が少ない分だけ支える荷重が軽いものになる。
【００２８】
第３実施形態の木質系横架材Ａを図１５、第３実施形態の木質梁材Ｂを図１６に基づき、それぞれ前記第１実施形態と同じ構成については同じ符号を付して説明を省略し、異なる個所のみを説明する。図１５に示す第３実施形態の木質系横架材Ａは、嵌入隙間１３が１つであることが異なるのみで他の構成は同じである。又、図１６に示す第３実施形態の木質梁材Ｂは、接合穴１６が１つであることが異なるのみで他の構成は同じである。
このような第３実施形態の木造梁端接合金物１、木質系横架材Ａ及び木質梁材Ｂによる木造梁端接合構造も第１実施形態と同じようにして構築するのでその説明を省略する。
【００２９】
図１７は第５実施形態の木造梁端接合金物１を示し、図１に示す第１実施形態と異なるところは半円の接続ポール差込穴５をなくした点である。この実施形態は接続ポール１１を使用しない木造梁端接合構造において使用する。図１８に示す木質系横架材Ａの第４実施形態が図８に示す第２実施形態と異なるところは、座堀溝１５を木質系横架材Ａの両側面に設けたことである。このような第５実施形態の木造梁端接合金物１と木質系横架材Ａ及び図９に示す第２実施形態の木質梁材Ｂを用いて構築した木造梁端接合構造を図１９乃至図２１に示す。
【００３０】
上記のようにして構築したすべての木造梁端接合構造において、木造梁端接合金物１は座堀溝１５の内部に収納されているために両側面と下側は木質梁材Ｂの側面及び下面の内側にあることから、図２２に示すように、下方から見上げた場合には木造梁端接合金物１及び木質系横架材Ａや木質梁材Ｂに形成した溝が全く見えないので、室内の美観を向上することが出来る。特にあらわし梁材には好適に使用できる。
【産業上の利用可能性】
【００３１】
この発明の木造梁端接合金物及びこの金物を使用した木造梁端接合構造は、高級感を求められる多くの木造住宅に有用に利用される。
【符号の説明】
【００３２】
１    木造梁端接合金物
２    水平板
３    垂直板
４    係止用穴
５    接続ポール差込穴
６    接合具
７    ボルト穴
８    係止ボルト
９    補強板
１０  嵌め込み溝
１１  接続ポール
１２  穴部
１３  嵌込隙間
１４  接合溝面
１５  座堀溝
１６  接合穴
１７  係止ボルト穴
１８  係止具
１９  接続ポール
Ａ    木質系横架材
Ｂ    木質梁材